(57)【要約】【課題】  プリントした画像や枚数等、プリント履歴情報や、印刷した際の印刷設定情報、画像選択情報を容易に取得することができ、画像データの選択、画像操作、印刷設定を実行することができるダイレクトプリンタを提供することを目的とするものである。【解決手段】  読み出したメモリカードの内容から、メモリカードを一意に特定するカード識別ＩＤを算出し、画像選択情報や印刷設定等のプリント履歴情報と算出したカード識別ＩＤとをプリント履歴記憶部に記憶し、メモリカードが挿入されると、算出されたカード識別ＩＤとプリント履歴記憶部に記憶されたカード識別ＩＤとを比較し、カード識別ＩＤがプリント履歴記憶部に存在していることが分かれば、プリント履歴記憶部から、カード識別ＩＤに対応するプリント履歴情報を読み出すダイレクトプリンタである。【選択図】  図１
2006142615.tif 000002
【特許請求の範囲】
【請求項１】
着脱可能な記憶媒体からデジタル画像を読み出し、プリントするダイレクトプリンタにおいて、
読み出した上記記憶媒体の内容から、上記記憶媒体を一意に特定する識別情報を算出する識別情報算出手段と；
プリント履歴情報と上記識別情報とを記憶する記憶手段と；
記憶媒体を上記ダイレクトプリンタに挿入したときに算出された識別情報と、上記記憶手段に記憶されている識別情報とを比較する比較手段と；
上記両識別情報が互いに一致していることを、上記比較手段が検出したときに、上記記憶手段から、上記互いに一致している識別情報に対応するプリント履歴情報を読み出すプリント履歴情報読み出し手段と；
を有することを特徴とするダイレクトプリンタ。
【請求項２】
請求項１において、
上記記憶媒体の識別情報は、上記記憶媒体に記憶されている画像データのファイルリストのサム値に基づいて算出される識別情報であることを特徴とするダイレクトプリンタ。
【請求項３】
請求項１において、
上記プリント履歴情報は、プリントされた画像の選択情報であることを特徴とするダイレクトプリンタ。
【請求項４】
請求項１において、
上記プリント履歴情報は、プリント時における印刷モード設定情報であることを特徴とするダイレクトプリンタ。
【請求項５】
請求項１において、
上記プリント履歴情報は、プリント時における用紙設定情報であることを特徴とするダイレクトプリンタ。
【請求項６】
請求項１において、
上記プリント履歴情報は、画像検索時における検索結果情報であることを特徴とするダイレクトプリンタ。
【発明の詳細な説明】
【技術分野】
【０００１】
本発明は、デジタル画像が記録されているメモリカードから、任意のデジタル画像を読み出し、プリントを行うダイレクトプリンタに関する。
【背景技術】
【０００２】
従来、デジタルカメラ等で撮影したデジタル画像をプリンタで印刷する場合、ＰＣ上のハードディスクにデジタル画像を保存した後に、ＰＣ上のソフトウエアを用い、それを閲覧、編集、印刷する方法が一般的である。
【０００３】
また、昨今のプリンタは、デジタルカメラ等において使用するメモリカードを挿入するカードスロットと、印刷設定の指示をユーザが入力する操作パネルとを備え、ＰＣと接続せずに、プリンタ単体で、メモリカードに格納されているデジタル画像を印刷する機能（いわゆるダイレクトプリント機能）を有する。
【０００４】
このようなプリンタでは、プリンタが有する専用の液晶モニタまたは外部接続モニタによって、その画像や操作画面を表示し、この表示を見ながら、操作パネルを用いて画像選択、画像操作、印刷設定、印刷指示を実行する。
【０００５】
しかし、従来のダイレクトプリンタでは、プリントした画像や枚数等、プリント履歴情報や、印刷した際の印刷設定情報、画像選択情報を記憶する手段が無く、ユーザが、そのメモリカードの画像データをもう一度印刷しようとする場合、操作パネルを用いて画像選択、画像操作、印刷設定を再度、実行する必要があるという欠点がある。
【０００６】
この欠点を解消するために、受信データを印刷せずに内部メモリに記憶し、内部メモリに格納されている各データのそれぞれを、印刷したか否かを示す情報を内部メモリに記憶し、必要に応じて、印刷するデータ処理装置が提案されている（たとえば、特許文献１参照）。
【０００７】
また、たとえば、ＤＰＯＦ（Ｄｉｇｉｔａｌ  Ｐｒｉｎｔ  Ｏｒｄｅｒ  Ｆｏｒｍａｔ）に代表されるプリントオーダーファイルとして、上記プリント画像や印刷設定情報を、メモリカード内に記録すれば、再度、メモリカードの印刷を行う場合、記録されたプリントオーダーファイルを読み込むことによって、プリントした画像や枚数等、プリント履歴情報や、印刷した際の印刷設定情報を再現することができる。
【０００８】
また、メモリカード内の画像データが印刷処理済であるか否かを示す情報（処理履歴情報）を、当該メモリカードに記憶することによって、ユーザが印刷されていない画像データを容易に選択することできるデータ処理装置が提案されている（たとえば、特許文献２参照）。
【特許文献１】特許第２６８３００３号公報
【特許文献２】特開２０００−２０４４１７号公報
【発明の開示】
【発明が解決しようとする課題】
【０００９】
しかし、特許文献１記載のデータ処理装置では、データを内部メモリに記憶する必要があるので、データ処理装置内に、大容量のメモリ装置を必要とし、データ処理装置のコストが高くなるという問題がある。
【００１０】
また、ＤＰＯＦに代表されるプリントオーダーファイルをメモリカードに記録する方法や、特許文献２で提案されている処理履歴情報をメモリカードに記憶するデータ処理装置では、メモリカードにデータを書き込む必要があるので、書込み禁止になっているメモリカードや、空き容量の少ないメモリカードでは、プリント履歴情報をメモリカードに書き込むことができないという問題がある。
【００１１】
また、特許文献２記載のデータ処理装置では、メモリカードに、処理装置特有の情報を書き込むので、デジタルカメラ等の他の処理装置において、そのデータによって誤動作することがあるという問題がある。
【００１２】
また、ＤＰＯＦ等のような規格化されたフォーマットを用いた場合、フォーマットに従い記述する必要があるので、プリンタの仕様を十分に再現するような、プリント履歴情報や、印刷した際の印刷設定情報、画像選択情報を柔軟に記憶することが困難であるという問題がある。
【００１３】
本発明は、プリントした画像や枚数等、プリント履歴情報や、印刷した際の印刷設定情報、画像選択情報を容易に取得することができ、画像データの選択、画像操作、印刷設定を実行することができるダイレクトプリンタを提供することを目的とするものである。
【課題を解決するための手段】
【００１４】
本発明は、デジタル画像が記録されているメモリカードから、任意のデジタル画像を読み出し、プリントするダイレクトプリントにおいて、読み出したメモリカードの内容から、メモリカードを一意に特定するカード識別ＩＤを算出し、画像選択情報や印刷設定等のプリント履歴情報と算出したカード識別ＩＤとをプリント履歴記憶部に記憶し、メモリカードが挿入されると、算出されたカード識別ＩＤとプリント履歴記憶部に記憶されたカード識別ＩＤとを比較し、カード識別ＩＤがプリント履歴記憶部に存在していることが分かれば、プリント履歴記憶部から、カード識別ＩＤに対応するプリント履歴情報を読み出すダイレクトプリンタである。
【発明の効果】
【００１５】
本発明によれば、デジタル画像が記録されているメモリカードから、任意のデジタル画像を読み出し、プリントするダイレクトプリントにおいて、読み出したメモリカードの内容から、メモリカードを一意に特定するカード識別ＩＤを算出し、画像選択情報や印刷設定等のプリント履歴情報と算出したカード識別ＩＤとをプリント履歴記憶部に記憶し、メモリカードが挿入されると、算出されたカード識別ＩＤとプリント履歴記憶部に記憶されたカード識別ＩＤとを比較し、カード識別ＩＤがプリント履歴記憶部に存在していることが分かれば、プリント履歴記憶部から、カード識別ＩＤに対応するプリント履歴情報を読み出すように制御するので、一度プリント等の操作を行ったメモリカードを再度プリント等する際、以前の、プリントした画像や印刷設定等を容易に再現することができるという効果を奏する。
【００１６】
また、本発明によれば、プリンタ内にプリント履歴記憶部を設けているので、メモリカードが書込み禁止になっている場合や、空き容量が無い場合でも、プリントした画像や印刷設定等を再現することができるという効果を奏する。
【００１７】
さらに、本発明によれば、上記プリント履歴記憶部に、画像データ等の情報を記憶する必要が無く、カード識別ＩＤのみを記憶することによって、メモリカードを特定するので、少ないメモリでダイレクトプリンタを構築することができるという効果を奏する。
【発明を実施するための最良の形態】
【００１８】
発明を実施するための最良の形態は、次の実施例である。
【実施例１】
【００１９】
図１は、本発明の実施例１であるダイレクトプリンタ１００を示す斜視図である。
【００２０】
ダイレクトプリンタ１００は、デジタルカメラ等に装着されるメモリカードに記憶されている所定の規格の画像データを読み出し、直接印刷するか、または、デジタルカメラ等にメモリデバイス（メモリカード）が装着されているデジタルカメラと所定のインタフェースを介して通信可能な状態で、上記メモリカードに記憶されている所定の規格の画像データを読み出し、直接印刷するダイレクトプリント機能を有する。
【００２１】
プリンタ１００は、メモリカードスロット１０１と、操作パネル１０２と、液晶パネル１０３とを有する。
【００２２】
メモリカードスロット１０１は、図示しないデジタルカメラが撮影した画像が記憶されているコンパクトフラッシュ（登録商標）等のメモリカードを挿入する。
【００２３】
操作パネル１０２は、各種操作キーを有し、液晶パネル１０３に表示されている画像や操作画面、印刷設定画面に従って、各種操作キーを指示することによって、画像選択、画像操作、印刷設定、印刷指示を行うことができる。
【００２４】
プリンタ１００において、デジタルカメラで撮影した画像データが記録されているメモリカードを、メモリカードスロット１０１に挿入した場合、操作パネル１０２で印刷設定を行い、メモリカード上の画像データを印刷することができ、ＰＣを用いなくても、プリンタ単体で画像データを指定した用紙、レイアウト、品位等で印刷することができる。なお、以下の記載では、プリンタ単体での印刷処理を、「ダイレクトプリント」と表現することがある。
【００２５】
次に、プリンタ１００におけるダイレクトプリンタについて説明する。
【００２６】
図２は、プリンタ１００の構成を示すブロック図である。
【００２７】
プリンタ１００は、中央演算処理装置（ＣＰＵ）２０１と、通信インタフェース２０２と、ＲＡＭ２０３と、ＲＯＭ２０４と、不揮発性メモリ（ＥＥＰＲＯＭ）２０５と、メモリカードコントローラ２０６と、操作パネルコントローラ２０７と、操作パネル２０８と、コントローラ２０９と、プリンタエンジン２１０と、システムバス２１１とを有する。
【００２８】
中央演算処理装置（ＣＰＵ）２０１は、データや命令を演算し、判断し、制御する。
【００２９】
ＲＡＭ２０３は、各種データの一時記憶領域、プリントバッファとして用いる。
【００３０】
ＲＯＭ２０４は、オペレーティングシステムやその他の制御プログラムの読み出し専用記憶領域である。
【００３１】
不揮発性メモリ（ＥＥＰＲＯＭ）２０５は、プリンタエンジン情報や後述するプリント履歴情報等の記憶領域として用いる。
【００３２】
通信インタフェース２０２は、ＰＣとの通信を行う。
【００３３】
メモリカードコントローラ２０６は、メモリカードから画像データを読み出す。
【００３４】
操作パネルコントローラ２０７、操作パネル２０８は、画像表示、電源投入、画像指定、枚数指定、各種印刷設定、検索機能、印刷開始等に用いる各種ボタンやスイッチ、ＬＥＤ、液晶パネルによって構成されている。
【００３５】
コントローラ２０９は、画像処理用ＡＳＩＣ等によって構成されている。
【００３６】
プリンタエンジン２１０は、ＬＦモータ、キャリッジモータ、プリントヘッドや各種センサを含む。
【００３７】
図３は、プリンタ１００を、データ処理する点から見た機能的なブロック図である。
【００３８】
図３に示すプリンタ１００は、一般的なパーソナルコンピュータからデータを受けて印刷する印刷機能と、プリンタ単独でメモリカード上の画像データを印刷するダイレクトプリント機能とを有する。
【００３９】
プリンタ１００は、ユーザインタフェースとして、図示しないが、液晶パネルと、各種ボタン／スイッチとＬＥＤとを具備する操作部とを有する。
【００４０】
プリンタ１００は、通信インタフェース部３０１と、プリンタコントローラ３０２と、プリンタエンジン部３０３と、ダイレクトプリントコントローラ部３０４と、メモリカードコントローラ部３０５と、操作パネルコントローラ部３０６と、操作パネルバッファ３０７と、プリント履歴記憶部３０８とを有する。
【００４１】
操作パネルコントローラ部３０６は、ボタン／スイッチ、ＬＥＤ、液晶パネルを有し、図２に示す操作パネル２０８を制御し、操作パネル情報を操作パネルバッファ３０７に保存する。また、後述するが、操作パネル情報をプリント履歴情報として、プリント履歴情報記憶部３０８に記憶する。
【００４２】
メモリカードコントローラ部３０５は、メモリカードスロットに挿入されているメモリカードから画像データを読み出す。また、後述するが、メモリカードの内容から、メモリカード識別ＩＤを算出する。
【００４３】
ダイレクトプリントコントローラ部３０４は、操作パネル２０８において印刷開始ボタンが押下されると、操作パネル情報バッファ３０７に格納されている選択画像情報や用紙設定情報等の操作パネル情報を読み出し、この読み出された情報に基づいて、メモリカードコントローラ部３０５から、選択された画像データを取得し、印刷データを生成する。
【００４４】
本実施例における画像データは、たとえばデジタルカメラで撮影したデジタル画像データであり、ＪＰＥＧまたはＴＩＦＦ形式の画像データであり、ダイレクトプリントコントローラ部３０４は、ＪＰＥＧデコード機能を有する。
【００４５】
プリンタエンジン部３０３は、ダイレクトプリント時に、ダイレクトプリンタコントローラ部３０４で生成した印刷データを用いて印刷処理する。また、パーソナルコンピュータからの印刷時は、通信インタフェース部３０１が受信した印刷コマンドに従って、印刷処理を実行する。
【００４６】
図４は、プリンタ１００に設けられている操作パネル２０８を示す平面図である。
【００４７】
図４に示す操作パネル２０８は、電源キー４０１と、選択決定ボタン４０２と、印刷開始ボタン４０３と、印刷中止ボタン４０４と、液晶パネル４０６と、メニューボタン４０７と、用紙・設定ボタン４０８と、トリミングボタン４０９と、拡大・縮小ボタン４１０とを有する。
【００４８】
電源キー４０１は、プリンタの電源をオン・オフする際に押すものである。
【００４９】
選択決定ボタン４０２は、液晶パネル４０６に表示されている各種項目を選択・決定する際や、液晶パネル４０６に表示されている画像データを閲覧する際に押され、また、後述するトリミング設定モードにおいて、トリミング枠を移動する際に押される。
【００５０】
メニューボタン４０７は、印刷モード、たとえば全画像印刷モード、画像指定印刷モード、インデックス印刷モード、レイアウト印刷モード、ＤＰＯＦ印刷モード等を選択する選択画面を、液晶パネル４０６に表示する際に押すものである。
【００５１】
メニューボタン４０７を押下することによって表示された印刷モードの選択画面において、選択決定ボタン４０２を押すと、印刷モードを選択することができる。
【００５２】
図５は、上記実施例において、印刷モードを選択する際に、液晶パネル４０６に表示される選択画面の一例を示す図である。
【００５３】
用紙・設定ボタン４０８は、用紙種類、用紙サイズ、印刷品位、日付位置、画像補正等の各種の項目の選択を行う選択画面を液晶パネル４０６に表示する際に押される。用紙設定ボタン４０８を押すことによって表示された用紙等の各種設定の選択画面において、選択決定ボタン４０２を押すことによって、各種設定を選択することができる。
【００５４】
図６は、上記実施例において、用紙等の各種設定の選択を行う際に液晶パネル４０６に表示される選択画面の１つである用紙サイズの選択画面の一例を示す図である。
【００５５】
印刷開始ボタン４０３は、ダイレクトプリントの開始の際に押される。印刷開始ボタン４０３が押されると、メニューボタン４０７や用紙・設定ボタン４０８で指示された印刷モードや選択画像、用紙・印刷設定によって、メモリカード内の画像データを印刷する。
【００５６】
印刷中止ボタン４０４は、ダイレクトプリントのプリント処理を中止する際に指示される。
【００５７】
液晶パネル４０６は、液晶パネル４０６に表示されている画像や設定項目をユーザが確認しながら、選択決定ボタン４０２を押すと、表示画像の閲覧や、印刷画像の選択や、印刷モード、印刷部数、用紙種類、用紙サイズ、印刷品位、日付位置、画像補正、レイアウト等の各種の項目を選択することができる。
【００５８】
拡大・縮小ボタン４１０は、液晶パネル４０６に表示されている画像の拡大表示を行う際に押し、また、後述するトリミング設定モードにおいて、トリミング枠を拡大・縮小する際に押す。
【００５９】
トリミングボタン４０９は、画像のトリミング設定を行うトリミング設定モードへの移行やトリミング枠の回転の際に押す。トリミングボタン４０９の押下によってトリミング設定モードに移行すると、液晶パネル４０６には、トリミングを行う対象の画像データと、トリミング枠を意味する矩形が表示され、選択決定ボタン４０２を押すことによって、トリミング枠の移動や確定を行い、また、拡大・縮小ボタン４１０を押すことによって、トリミング枠の拡大・縮小を行い、また、トリミングボタン４０９を押すことによって、トリミング枠の回転を行い、これらによって、トリミングの設定を行うことができる。
【００６０】
図７は、トリミングの設定を行う際に液晶パネル４０６に表示されるトリミング設定画面の一例を示す図である。
【００６１】
メモリカードの画像データを印刷するダイレクトプリンタにおいて、プリンタ１００は、カードとその内容とから、メモリカード識別ＩＤを作成し、上記画像選択や用紙設定等のプリント操作の履歴情報を、メモリカード識別ＩＤと対応付けて記憶し、再度、上記カードが挿入された際に、挿入されたメモリカードのメモリカード識別ＩＤに基づいて、記憶されたプリント履歴情報を読み出し、画像選択や用紙設定等を復元する機能を有する。
【００６２】
次に、プリンタ１００における上記機能について説明する。
【００６３】
図８は、メモリカードスロットにメモリカードが挿入されたときにおける処理手順の一例を示すフローチャートである。
【００６４】
メモリカードスロットにメモリカードが挿入されると（Ｓ１）、メモリカードコントローラ部３０５は、挿入されたメモリカードを読み出し、ファイルリストを作成する（Ｓ２）。
【００６５】
図９は、上記実施例におけるファイルリストの一例を示す図である。
【００６６】
ファイルリストは、メモリカード内の各画像データにおける画像ＩＤ番号、ファイルサイズ、日付データ、ファイル名によって構成されている。なお、画像ＩＤ番号は、メモリカード内の画像データを、名前順等の一定のルールに基づいて振られた通し番号である。
【００６７】
次に、作成したファイルリストのサム値を計算し、この計算されたサム値を、そのメモリカードの識別ＩＤとする（Ｓ３）。
【００６８】
次に、Ｓ３で算出したメモリカード識別ＩＤ（サム値）が、プリント履歴記憶部３０８に記憶されているメモリカード識別ＩＤと一致するかどうかをチェックする（Ｓ４）。このチェックによって、今回挿入されたメモリカード（および画像データ情報）が、以前に使用されたことがあるかどうかを調べることができる。
【００６９】
メモリカード識別ＩＤが、プリント履歴記憶部３０８内に存在しない場合（つまり、今回挿入されたメモリカード（および画像データ情報）が初めて使用されたものである場合）（Ｓ４）、デフォルト画像データ（Ｓ２）で作成したファイルリストの画像ＩＤ＝０の画像データを液晶パネル４０６に表示し（Ｓ５）、本処理を終了する。
【００７０】
メモリカード識別ＩＤが、プリント履歴記憶部３０８内に存在する場合（つまり、今回挿入されたメモリカード（および画像データ情報）が以前に使用したことがある場合）（Ｓ４）、プリント履歴記憶部３０８から、メモリカード識別ＩＤに対応するプリント履歴情報を読み出し、プリント履歴情報に応じた表示を、液晶パネル４０６に表示し（Ｓ６）、本処理を終了する。
【００７１】
たとえば、プリント履歴情報に、「ＩＤ＝０とＩＤ＝１との画像を、２枚ずつＬ版用紙にプリント」という情報が記憶されていた場合、メモリカード挿入時に、「ＩＤ＝０とＩＤ＝１との画像を、２枚ずつＬ版用紙にプリント」という処理情報を、操作パネル情報バッファ３０７に保存し、これに応じた表示（たとえば、選択画像のチェックアイコン表示と印刷枚数の表示）を液晶パネル４０６に表示する。
【００７２】
また、メモリカード識別ＩＤが、プリント履歴記憶部３０８内に存在する場合、Ｓ６の処理を行う前に、液晶パネル４０６に「以前このメモリカードが使用されています。その設定を復元しますか？  はい／いいえ」のようなメッセージを表示し、「はい」が選択された場合、Ｓ６の処理を行い、「いいえ」が選択された場合、プリント履歴情報を読み込まずに、Ｓ５の処理（デフォルト画像データを、液晶パネル４０６に表示）を行うようにしてもよい。
【００７３】
図１０は、メモリカードスロットからメモリカードが取り出されたときにおける処理手順を示すフローチャートである。
【００７４】
メモリカードスロットからメモリカードが取り出されると（Ｓ１１）、Ｓ３で算出したメモリカード識別ＩＤと、プリント履歴情報とを、プリント履歴記憶部３０８に記憶する。ここで、上記「プリント履歴情報」は、検索機能によって検索された画像データ情報、プリント選択された選択画像情報、その枚数、印刷設定（全画像印刷モード、画像指定印刷モード、インデックス印刷モード、レイアウト印刷モード、ＤＰＯＦ印刷モード）、用紙設定（用紙種類、用紙サイズ、印刷品位、日付位置、画像補正）の情報であり、メモリカード識別ＩＤとともに記憶される。
【００７５】
図１１は、プリント履歴記憶部３０８に記憶されているメモリカード識別ＩＤと、プリント履歴情報との例を示す図である。
【００７６】
メモリカード識別ＩＤに対し、それに応じたプリント履歴情報が記憶されている。本実施例において、記憶されているプリント履歴情報は、ファイル数、（検索または印刷された）選択画像、その枚数、用紙・印刷設定（印刷モード、用紙サイズ、用紙種類、印刷品位、縁の有無、日付設定）である。また、メモリカード識別ＩＤについて、そのカードに最後にアクセスした最終アクセス時刻も記憶されている。メモリカード識別ＩＤが、記憶できる数を超えた場合、アクセスされた時間が最も古いメモリカード識別ＩＤの情報を削除し、その領域に書き込むように制御される。
【００７７】
また、Ｓ１１では、メモリカードが抜かれたときに、メモリカード識別ＩＤとプリント履歴情報とを、プリント履歴記憶部３０８に記憶するようにしているが、このようにする代わりに、操作パネル２０８上にプリント履歴保存キー（不図示）を設け、このプリント履歴保存キーを押下することによって、メモリカード識別ＩＤとプリント履歴情報とを、プリント履歴記憶部３０８に記憶するようにしてもよい。
【図面の簡単な説明】
【００７８】
【図１】本発明の実施例１であるダイレクトプリンタ１００を示す斜視図である。
【図２】プリンタ１００の構成を示すブロック図である。
【図３】プリンタ１００をデータ処理する点から見た機能的なブロック図である。
【図４】プリンタ１００に設けられている操作パネル２０８を示す平面図である。
【図５】上記実施例において、印刷モードを選択する際に、液晶パネル４０６に表示される選択画面の一例を示す図である。
【図６】上記実施例において、用紙等の各種設定の選択を行う際に液晶パネル４０６に表示される選択画面の１つである用紙サイズの選択画面の一例を示す図である。
【図７】トリミングの設定を行う際に液晶パネル４０６に表示されるトリミング設定画面の一例を示す図である。
【図８】メモリカードスロットにメモリカードが挿入されたときにおける処理手順の一例を示すフローチャートである。
【図９】上記実施例におけるファイルリストの一例を示す図である。
【図１０】メモリカードスロットからメモリカードが取り出されたときにおける処理手順を示すフローチャートである。
【図１１】プリント履歴記憶部３０８に記憶されているメモリカード識別ＩＤと、プリント履歴情報との例を示す図である。
【符号の説明】
【００７９】
１００…ダイレクトプリンタ、
１０１…メモリカードスロット、
１０２…操作パネル、
１０３…液晶パネル、
２０１…中央演算処理装置（ＣＰＵ）、
２０２…通信インタフェース、
２０３…ＲＡＭ、
２０４…ＲＯＭ、
２０５…不揮発性メモリ（ＥＥＰＲＯＭ）、
２０６…メモリカードコントローラ、
２０７…操作パネルコントローラ、
２０８…操作パネル、
２０９…コントローラ、
２１０…プリンタエンジン、
２１１…システムバス、
３０１…通信インタフェース部、
３０２…プリンタコントローラ、
３０３…プリンタエンジン部、
３０４…ダイレクトプリントコントローラ部、
３０５…メモリカードコントローラ部、
３０６…操作パネルコントローラ部、
３０７…操作パネルバッファ、
３０８…プリント履歴記憶部、
４０６…液晶パネル。
【図１】
2006142615.tif 000003
【図２】
2006142615.tif 000004
【図３】
2006142615.tif 000005
【図４】
2006142615.tif 000006
【図５】
2006142615.tif 000007
【図６】
2006142615.tif 000008
【図７】
2006142615.tif 000009
【図８】
2006142615.tif 000010
【図９】
2006142615.tif 000011
【図１０】
2006142615.tif 000012
【図１１】
2006142615.tif 000013